(57)【特許請求の範囲】
【請求項１】
上方及び下方を有し、可撓性かつ不透液性の基材シートがその両側縁部を互いに重ね合わせた接合域で接合されて袋を形成し、前記袋がその上端部にペニス挿入用の開口部を有し、かつ内部に体液吸収性コアを備える使い捨ての男性用尿取り袋において、
前記基材シートは、内外面シートを重ね合わせた少なくとも二層から形成され、前記接合域において、前記外面シートが前記内面シートよりも外方に延びており、前記内外面シートの内面どうしが各々間欠的に接合され、前記接合域の耐水圧が、５０〜１５００ｍｍの範囲にあり、前記体液吸収性コアは、前記内面シートと対向する外面に位置する不透液性被覆シートと、前記外面と反対側の内面に位置する透液性被覆シートとで被覆された体液吸収性パネルに形成され、前記体液吸収性パネルは、前記不透液性被覆シートを介して前記内面シートに間欠的に接合されていることを特徴とする前記袋。
【請求項２】
前記接合域における間欠的接合が、多数のドット状に塗布された接着剤でなされている請求項１に記載の袋。
【請求項３】
前記接合域における間欠的接合が、多数のドット状ヒートエンボスでなされている請求項１に記載の袋。
【請求項４】
前記外面シートが熱可塑性合成樹脂繊維で形成された疎水性の不織布からなり、前記内面シートが熱可塑性合成樹脂で形成されていて前記耐水圧が前記不織布のそれよりも高い不透液性のプラスチックフィルムからなる請求項１〜３のいずれかに記載の袋。
【請求項５】
前記内外面シートが熱可塑性合成樹脂繊維で形成された疎水性の不織布からなり、前記内面シートを形成する前記不織布の耐水圧が前記外面シートを形成する前記不織布のそれよりも高い請求項１〜４のいずれかに記載の袋。
【請求項６】
前記基材シートの両側縁部が上方から下方に向かい前記基材シートの中心線へ次第に近づくように延び、前記袋の周面部が、前記中心線と前記接合域との間の寸法を二分して縦方向に延びる一対の折曲案内部の各々で折り曲げられ、前記折曲案内部間に延びる前面部と前記折曲案内部各々から前記接合域へ延びる両側面とに区分されている請求項１〜５のいずれかに記載の袋。
【発明の詳細な説明】
【０００１】
【発明の属する技術分野】
本発明は、寝たきりの病人や老人、失禁患者等に使用する使い捨ての男性用尿取り袋に関する。
【０００２】
【従来の技術】
実開昭６０−６９１１４号公報は、透液性表面シートと、不透液性裏面シートと、それらシートの間に介在する吸液性コアとから構成された縦長の男性用使い捨て尿取り袋を開示している。袋はその上部の開口部からペニスを挿入することで使用される。
【０００３】
【発明が解決しようとする課題】
同号公報に開示の袋は、コアの周縁から延出する表面シートと裏面シートとの部分がホットメルト接着剤や熱融着の技術を利用して連続的にシールされている。そのように連続的にシールすると、そのシール幅にもよるが、シール域が剛性になり、そのシール域が着用者に触れると、着用者に違和感や不快な刺激を与える。
【０００４】
本発明の課題は、基材シートを接合して袋を形成するのにもかかわらず、その接合域が着用者に違和感や不快な刺激を与えることがなく、かつ、その接合域から尿が滲出することがない使い捨ての男性用尿取り袋を提供することにある。
【０００５】
【課題を解決するための手段】
前述した課題を解決するための本発明は、前記基材シートは、内外面シートを重ね合わせた少なくとも二層から形成され、前記接合域において、前記外面シートが前記内面シートよりも外方に延びており、前記内外面シートの内面どうしが各々間欠的に接合され、前記接合域の耐水圧が、５０〜１５００ｍｍの範囲にあり、前記体液吸収性コアは、前記内面シートと対向する外面に位置する不透液性被覆シートと、前記外面と反対側の内面に位置する透液性被覆シートとで被覆された体液吸収性パネルに形成され、前記体液吸収性パネルは、前記不透液性被覆シートを介して前記内面シートに間欠的に接合されていることを特徴とする。
【０００６】
前記接合域における間欠的接合は、多数のドット状に塗布された接着剤で、または多数のドット状ヒートエンボスでなされ得る。
【０００７】
前記基材シートは、熱可塑性合成樹脂繊維で形成された疎水性の不織布からなる外面シートと、熱可塑性合成樹脂で形成されていて前記耐水圧が前記不織布のそれよりも高い不透液性のプラスチックフィルムからなる内面シートとを重ね合わせた少なくとも二層からなり、前記不織布が前記袋の外面の側に配置されているか、または熱可塑性合成樹脂繊維で形成された疎水性の不織布を重ね合わせた少なくとも二層からなり、前記袋の内面を形成する前記不織布の耐水圧が前記袋の外面を形成する前記不織布のそれよりも高いことが好ましい。
【０００８】
前記基材シートの両側縁部が上方から下方に向かい前記基材シートの中心線へ次第に近づくように延び、前記袋の周面部が、前記中心線と前記接合域との間の寸法を二分して縦方向に延びる一対の折曲案内部の各々で折り曲げられ、前記折曲案内部間に延びる前面部と前記折曲案内部各々から前記接合域へ延びる両側面とに区分されていることが好ましい。
【０００９】
【発明の実施の形態】
添付の図面を参照して、本発明に係る使い捨ての男性用尿取り袋の詳細を説明すると、以下のとおりである。
【００１０】
図１，２は、前面部ｆ２の側から示す尿取り袋１の部分破断斜視図と、開口部４を拡開した状態の両側面部ｆ３，ｆ４の側から示す袋１の斜視図とであり、図３は、図１のＡ−Ａ線断面図である。袋１は、袋１を形成する可撓性かつ不透液性の基材シート２と、袋１の内部に取り付けられ、被覆シート３ａ，３ｂおよび吸液性コア３ｃからなる可撓性の体液吸収性パネル３とから構成されている。袋１は、その上部１ａから下部１ｂへ向かって縦長先細りに形成され、袋１の下部１ｂが尖形状を呈する。袋１は、その上部１ａにペニス挿入用の開口部４を有する。
【００１１】
袋１は、縦中心線Ｙで折曲されて互いに重なり合う基材シート２が、基材シート２の上方から下方へ向かって縦中心線Ｙへ近づくように弧を画いて延びる接合域５で接合されている。
【００１２】
基材シート２は、熱可塑性合成樹脂繊維で形成された疎水性の不織布からなる外面シート２ａと熱可塑性合成樹脂で形成されたプラスチックフィルムからなる内面シート２ｂとが互いに重なり合った二層からなり、外面シート２ａが袋１の外面の側に位置し、内面シート２ｂが袋１の内面の側に位置している。接合域５では、内面シート２ｂが図３の上方へ延出し、内面シート２ｂよりさらに図３の上方へ不織布２ａが延出している。接合域５では、互いに重なり合う外面シート２ａの内面どうしと、互いに重なり合う内面シート２ｂの内面どうしとがドット状に塗布されたホットメルト接着剤１０を介して間欠的に接合されている。
【００１３】
基材シート２では、接合域５の耐水圧が５０〜１５００ｍｍの範囲にある。接合域５の耐水圧が５０ｍｍ未満の場合は、排泄された尿が接合域から滲出する。耐水圧が１５００ｍｍを超過する場合は、基材シート２が接合域５において必要以上に硬化し、接合域５が着用者の肌に接したときに不快感を与えることがある。後者の場合には、接合域５におけるドット状接着剤１０の合計塗布量が増大または該接着剤間がより密になるからである。
【００１４】
内面シート２ｂは、その耐水圧が外面シート２ａのそれよりも高いもので、内面シート２ｂの耐水圧が４００〜１５００ｍｍの範囲、外面シート２ａの耐水圧が２０〜１００ｍｍの範囲にある。袋１は、たとえ外面シート２ａが尿の滲出を許す程度の耐水圧しか備えていない場合でも、耐水圧が４００〜１５００ｍｍの範囲にある内面シート２ｂを袋１の内面の側に配置しているので、内面シート２ｂにおいて尿の滲出を阻止可能であり、したがって、外面シート２ａへの尿の滲出も阻止可能である。
【００１５】
袋１の周面部ｆ１には、縦中心線Ｙと接合域５との間の寸法を二分する折曲案内部６各々が縦方向へ延びている。袋１の周面部ｆ１は、それら折曲案内部６で折曲され、折曲案内部６の間に延びる前面部ｆ２と、折曲案内部６と接合域５との間に延びる両側面部ｆ３，ｆ４とに区分されている。袋１の内部には、互いに離間する前面部ｆ２と両側面部ｆ３，ｆ４とで囲まれた中空部Ｓが画成されている。
【００１６】
袋１の開口部４は、前面部ｆ２と両側面部ｆ３，ｆ４との上端に囲繞され、図２に矢印Ｍ１で示す袋１の上方へ開口する第１開口部４ａと、接合域５の上端から第１開口部４ａへ延びる両側面部ｆ３，ｆ４に囲繞され、第１開口部４ａに連なって図２に矢印Ｍ２で示す袋１の側方へ開口する第２開口部４ｂとから形成されている。開口部４では、折曲案内部６の近傍において前面部ｆ２の上端の一部と両側面部ｆ３，ｆ４の上端の一部とが互いに重なり合った状態で接合されている。前面部ｆ２と両側面部ｆ３，ｆ４とを接合する場合において接合部位の耐水圧は、接合域５と同様に５０〜１５００ｍｍの範囲にあることが好ましい。
【００１７】
第１開口部４ａには、前面部ｆ２の上端に沿って、袋１の横方向へ延びる弾性伸縮性部材７が伸長状態で取り付けられている。第１開口部４ａには、側面部ｆ４の上端に沿って、袋１の内部の側にメカニカルファスナのうちの帯状のフック部材８が取り付けられている。
【００１８】
パネル３は、半剛性かつ吸液性のコア３ｃが基材シート２に面する可撓性かつ不透液性の被覆シート３ａと基材シート２の反対側に位置する可撓性かつ透液性の被覆シート３ｂとに被覆、接合されている。被覆シート３ａは、基材シート２に接着剤９を介して間欠的に接合されている。パネル３は、第１，２開口部４ａ，４ｂと接合域５の近傍とを除いて袋１の前面部ｆ２と両側面部ｆ３，ｆ４とに配置されている。
【００１９】
図４は、図１のＡ−Ａ線断面図であり、接合域５の態様が図３のそれとは異なるものである。基材シート２は、疎水性の不織布からなる外面シート２ａと内面シート２ｂとが互いに重なり合った二層からなり、外面シート２ａが袋１の外面の側に位置し、内面シート２ｂが袋１の内面の側に位置している。接合域５では、ヒートシールやソニックシール等の熱融着の技術を利用して、基材シート２が該域にそってドット状ヒートエンボスで間欠的に接合されている。
【００２０】
この実施の形態においても、接合域５の耐水圧が５０〜１５００ｍｍの範囲にある。接合域５の耐水圧が５０ｍｍ未満の場合は、接合域５から尿が滲出する。耐水圧が１５００ｍｍを超過する場合は、基材シート２が接合域５において必要以上に硬化してしまうことがある。
【００２１】
外面シート２ａは、その耐水圧が２０〜１００ｍｍの範囲、内面シート２ｂは、その耐水圧が４００〜１５００ｍｍの範囲にある。図４の袋１は、耐水圧が４００〜１５００ｍｍの範囲にある内面シート２ｂどうしを接合しているので、接合域５において加熱、溶融された内面シート２ｂが薄弱化または脆弱化したとしても、接合域５の耐水圧を５０〜１５００ｍｍの範囲に維持することができる。
【００２２】
図５は、図１の袋１の使用状態を説明する図である。袋１は、前面部ｆ２の上端をペニスＰの付け根に位置させ、ペニスＰを第１開口部４ａと第２開口部４ｂとから袋１の内部に入れる。このとき、ペニスＰをそれら開口部４ａ，４ｂから袋１の内部へ置くようにすればよく、開口部４から差し込む必要はないので、ペニスＰを袋１へ挿入する操作が容易である。ペニスＰを袋１の内部へ入れた後は、側面部ｆ４が側面部ｆ３の上になるようにそれら側面部ｆ３，ｆ４を互い違いに重ね合わせてペニスＰを包み、フック部材８を側面部ｆ３の外側に係合させる。
【００２３】
袋１をペニスＰに装着した後は、袋１の下部１ｂを使用者の股下部に位置させる。袋１は、その上部１ａから下部１ｂへ向かって先細形状を呈し、下部１ｂが尖形状なので、袋１の下部１ｂを使用者の股下部に位置させたときに、袋１の下部１ｂが使用者の股間に納まる。袋１は、袋１の前面部ｆ２が使用者の股下部に当接し、接合域５が使用者の股下に当たることがない。
【００２５】
袋１では、基材シート２が可撓性かつ疎水性の不織布からなる内外面シート２ａ，２ｂを重ね合わせた二層で形成されていてもよい。この場合は、内面シート２ｂの耐水圧が袋１の外面シート２ａのそれよりも高いことが好ましく、外面シート２ａの耐水圧が２０〜１００ｍｍの範囲、内面シート２ｂの耐水圧が８０〜３００ｍｍの範囲にあることが好ましい。袋１は、袋１の内面シート２ｂの耐水圧を８０〜３００ｍｍの範囲にすることで、不織布からの尿の滲出を確実に阻止することができる。
【００２６】
袋１では、基材シート２が二層を超過する三層又は四層のシートで形成されていてもよい。基材シート２が不織布とプラスチックフィルムとから形成されていてそれらを二層以上重ね合わせる場合は、袋１の内面にプラスチックフィルム（内面シート）を配置するとともに、袋１の外面に不織布（外面シート）を配置することが好ましく、プラスチックフィルムの耐水圧を４００〜１５００ｍｍの範囲、不織布の耐水圧を２０〜１００ｍｍの範囲にすることが好ましい。基材シート２の中間層では、不織布とプラスチックフィルムとを重ねる順番はなく、不織布とプラスチックフィルムとの少なくとも一方が位置していればよい。
【００２７】
基材シート２が不織布で形成されていて不織布を二層以上重ね合わせる場合は、耐水圧が８０〜３００ｍｍの範囲にある不織布を袋１の内面に配置するとともに、耐水圧が２０〜１００ｍｍの範囲にある不織布を袋１の外面に配置することが好ましい。
【００２８】
被覆シート３ａには、可撓性かつ疎水性の不織布、可撓性かつ不透液性のプラスチックフィルム、または、可撓性かつ疎水性の不織布、好ましくは通気不透液性のシートが使用される。被覆シート３ｂには、不織布や開孔プラスチックフィルム等の可撓性かつ透液性のシート、好ましくは透液性であって親水性のシートが使用される。
【００２９】
不織布としては、エアースルー、スパンレース、ニードルパンチ、メルトブローン、サーマルボンド、スパンポンド、ケミカルボンド等の不織布を使用することができる。不織布の構成繊維としては、ポリオレフィン系、ポリエステル系、ポリアミド系、の各繊維、ポリエチレン／ポリプロピレンまたはポリエステルの複合繊維等を使用することができる。
【００３０】
コア３ｃは、主としてフラッフパルプと超吸収性ヒドロゲル粒子との混合物が圧縮されて、その全体がティシュペーパ等の透水性シート（図示せず）によって被覆されている。弾性部材７としては、弾性的に伸縮可能なシート状の、ポリウレタンフォーム、合成ゴムフォーム、ポリスチレンフォーム、または、弾性的に伸縮可能なウレタンフィルムのいずれかを使用することができる。
【００３１】
被覆シート３ａ，３ｂの接合やコア３ｃの接合、弾性部材７やフック部材８の取り付け等には、ホットメルト接着剤等の接着剤や粘着剤の他に、ソニックシールやヒートシール等の熱融着の技術を利用することができる。
【００３４】
【発明の効果】
本発明に係る使い捨ての男性用尿取り袋によれば、袋の接合域が間欠的に接合されているので、該接合域があまり剛性にならず、しかもその間欠的接合にもかかわらず、耐水圧が５０〜１５００ｍｍの範囲にあるので、該接合域から尿が滲出することがない。
【図面の簡単な説明】
【図１】  前面部の側から示す使い捨て尿取り袋の部分破断斜視図。
【図２】  両側面部の側から示す図１の袋の斜視図。
【図３】  図１のＡ−Ａ線断面図。
【図４】  図１のＡ−Ａ線断面図。
【図５】  袋の使用状態を説明する図。
【符号の説明】
１    使い捨ての男性用尿取り袋
２    基材シート
２ａ  不織布（外面シート）
２ｂ  プラスチックフィルム（内面シート）
３    体液吸収性パネル
４    開口部
５    接合域
６    折曲案内部
ｆ１    周面部
ｆ２    前面部
ｆ３，ｆ４  両側面部
Ｓ    中空部
Ｙ    縦中心線
【図１】
0003993978.tif 000002
【図２】
0003993978.tif 000003
【図３】
0003993978.tif 000004
【図４】
0003993978.tif 000005
【図５】
0003993978.tif 000006